(57)【特許請求の範囲】
【請求項１】
データベースと、ビデオカメラと、回転式マウントと、画像合成手段と、画像回転手段と、制御手段と、操作入力手段と、ビデオディスプレイと、ビデオプリンタを備えた装飾ポートレート作成装置であって、
データベースは、横長構図用の装飾図案データと、縦長構図用の装飾図案データをそれぞれ複数格納し、
縦長構図用の装飾図案データは、９０度回転した横倒しイメージとして作成され、
回転式マウントは、制御手段の制御に従い、ビデオカメラを横長構図位置と縦長構図位置とに回転変位させ、
画像合成手段は、データベースから抽出された装飾図案データとビデオカメラから出力されるビデオ信号とをスーパーインポーズ合成し、
画像回転手段は、画像合成手段により合成されたビデオ信号の画像を９０度回転させ、
制御手段は、操作入力手段による利用者入力に従ってデータベースから１つの装飾図案データを抽出し、抽出した装飾図案データが横長構図用である場合は横長構図モードを、縦長構図用である場合は縦長構図モードを行い、
横長構図モードは、ビデオカメラを横長構図位置とし、画像合成手段が出力するビデオ信号の画像をビデオディスプレイに表示させ、操作入力手段による特定入力に応答して表示中のビデオ信号をサンプリングしてビデオディスプレイに静止画の合成画像を表示させ、操作入力手段による特定入力に応答して表示中の静止画の合成画像をビデオプリンタに印刷させ、
縦長構図モードは、ビデオカメラを縦長構図位置とし、画像合成手段が出力するビデオ信号の画像を画像回転手段により９０度回転させた状態でビデオディスプレイに表示させ、操作入力手段による特定入力に応答して表示中のビデオ信号をサンプリングしてビデオディスプレイに静止画の合成画像を表示させ、操作入力手段による特定入力に応答して表示中の静止画の合成画像を画像回転手段による９０度回転する前の状態でビデオプリンタにより印刷させる
装飾ポートレート作成装置。
【請求項２】
制御手段は、縦長構図モードの終了時にビデオカメラを横長構図位置にする
請求項１に記載の装飾ポートレート作成装置。
【発明の詳細な説明】
【０００１】
【発明の属する技術分野】
この発明は、利用者のポートレートを撮影するとともに利用者が選んだ装飾図案と組み合わせてシールなどに印刷する自動機械である装飾ポートレート作成装置に関し、とくに、縦長の構図によって装飾ポートレートを作成できるようにするための改良に関する。
【０００２】
【従来の技術】
この種の装置によって装飾ポートレートを作成する場合、利用者は対話形式による操作方法に従って多種多様な装飾図案から自分のポートレートに組み合わせるための装飾図案を選択する。所定の位置に固定されたビデオカメラの前に立ち、装飾図案とカメラからの撮影映像を重ねた合成動画像をディスプレイで確認しながら自分のポートレートが装飾図案の枠の中に入るようにする。ポーズや位置が決まったらその合成動画像を静止画像として取り込み印刷させる。
【０００３】
【発明が解決しようとする課題】
従来の装飾ポートレート作成装置は、固定されたビデオカメラの撮影映像を装飾図案に組み合わせている。そのため、装飾ポートレートはビデオカメラのアスペクト比（通常は４：３）に合わせて横長の構図で作成される。用意されている装飾図案も全て横長の構図に対応している。そのため、装飾図案を変えたとしても撮影映像はいつも同じような人物配置であり、位置やポーズが自ずと限定されてしまう。これでは、利用者がすぐに飽きてしまう。
【０００４】
もちろん、ビデオカメラの映像の左右をカットするなどして縦長の構図の装飾ポートレートを作成することは可能である。しかし、プリント用紙はビデオカメラのアスペクト比に対応して横長の構図用のものしか使用できない。そのため、印刷される装飾ポートレートも左右が欠けた画像となる。これでは画像の情報量が減少して印刷したときの鮮明度が著しく劣化する。また、印刷領域が狭くなり人物の顔などが小さくて見にくくなる。
【０００５】
縦長構図の装飾ポートレートをプリント用紙のプリントエリアにちょうど収まるように印刷しようとすれば、縦長構図専用のプリント用紙を用意する必要がある。しかも、印刷する装飾ポートレートの構図に従ってプリント用紙を切り替えてビデオプリンタに供給するための給紙装置を組み込まなければならない。そのため、装置の構造が複雑になり装置本体のコストアップを招く。なお、このような構造にしたとしても、ビデオ信号上では依然として左右が欠けている。単に、合成画像を縦長のプリント用紙に合わせて引き延ばしただけであり、印刷画質は悪い。
【０００６】
そこで本発明は、通常のプリント用紙に縦長の構図の装飾ポートレートを高画質で印刷できる装飾ポートレート作成装置を提供することを目的としている。
【０００７】
【課題を解決するための手段】
この発明に係る装飾ポートレート作成装置は、便宜的に分説すると、つぎの事項（１）〜（９）により特定されるものである。
（１）データベースと、ビデオカメラと、回転式マウントと、画像合成手段と、画像回転手段と、制御手段と、操作入力手段と、ビデオディスプレイと、ビデオプリンタを備えた装飾ポートレート作成装置であること
（２）データベースは、横長構図用の装飾図案データと、縦長構図用の装飾図案データをそれぞれ複数格納すること
（３）縦長構図用の装飾図案データは、９０度回転した横倒しイメージとして作成されていること
（４）回転式マウントは、制御手段の制御に従い、ビデオカメラを横長構図位置と縦長構図位置とに回転変位させること
（５）画像合成手段は、データベースから抽出された装飾図案データとビデオカメラから出力されるビデオ信号とをスーパーインポーズ合成すること
（６）画像回転手段は、画像合成手段により合成されたビデオ信号の画像を９０度回転させること
（７）制御手段は、操作入力手段による利用者入力に従ってデータベースから１つの装飾図案データを抽出し、抽出した装飾図案データが横長構図用である場合は横長構図モードを、縦長構図用である場合は縦長構図モードを行うこと
（８）横長構図モードは、ビデオカメラを横長構図位置とし、画像合成手段が出力するビデオ信号の画像をビデオディスプレイに表示させ、操作入力手段による特定入力に応答して表示中のビデオ信号をサンプリングしてビデオディスプレイに静止画の合成画像を表示させ、操作入力手段による特定入力に応答して表示中の静止画の合成画像をビデオプリンタに印刷させること
（９）縦長構図モードは、ビデオカメラを縦長構図位置とし、画像合成手段が出力するビデオ信号の画像を画像回転手段により９０度回転させた状態でビデオディスプレイに表示させ、操作入力手段による特定入力に応答して表示中のビデオ信号をサンプリングしてビデオディスプレイに静止画の合成画像を表示させ、操作入力手段による特定入力に応答して表示中の静止画の合成画像を画像回転手段による９０度回転する前の状態でビデオプリンタにより印刷させること
【０００８】
また、前記装飾図案を横長モード用と縦長モード用とに分類し、利用者が選択した装飾図案に従った構図モードによって装飾ポートレートの作成プロセスが進行することとしてもよい。
【０００９】
より望ましくは、前記装飾ポートレートを前記縦長の構図モードによって作成した後、前記ビデオカメラを通常の横長の構図モードに対応する回転角度に戻すことである。
【００１０】
【発明の実施の形態】
＝＝＝装飾ポートレート装置の概要＝＝＝
図１はこの発明の一実施例による装飾ポートレート作成装置の全体斜視図である。高さ約２メートルの縦長の本体ボックスにシステム要素が内蔵されている。図２はこの装飾ポートレート作成装置の側断面図である。利用窓口１１は窪んでおり、その奥にハーフミラー１２が斜めに設置されている。ハーフミラー１２の下にビデオディスプレイ２０が設置されている。ハーフミラー１２の背部にはビデオカメラ３０が設置されている。ビデオカメラ３０はその撮影光軸がハーフミラー１２を透過して、利用窓口１１に向き合っている利用者の顔を正面から撮影する。なおビデオカメラ３０は上向きに設置され、そのレンズの直前に配設されたミラー１３で撮影光軸が直角に折曲げられている。利用窓口１１の下方のパネルには、利用者が撮影されながら操作可能な操作入力手段としてのスイッチパネル４１が組み込まれているとともに、操作ガイドなどを音声出力するためのスピーカが組み込まれている。本体ボックスの下方内部には、利用料金を受け入れる硬貨受納機６０とビデオカメラ３０が撮影した映像に装飾図案を組み合わせた装飾ポートレートの画像をサンプリングして印刷するためのビデオプリンタ７０と、当該システムの中枢であるコンピュータ１００が収容されている。硬貨受納機６０の硬貨投入口と、ビデオプリンタ７０で印刷された装飾ポートレートの取出口が、利用窓口１１の下方の正面部分に配置されている。
【００１１】
ビデオプリンタ７０は、裏面に粘着材が塗布され容易に剥離できる台紙に張り合わされたプリント用紙に装飾ポートレートを印刷する。プリント用紙のプリントエリアは４×４のマトリクスの合計１６枚の小さなシールにあらかじめ分割されており、その分割シールを一枚ずつ台紙から剥がして利用できる。この１６枚のシールには同一画像がプリントされる。プリント用紙のプリントエリアや各シールはビデオカメラが撮影する映像のアスペクト比（４：３）に合わせてある。すなわち、撮影映像における水平方向がプリント用紙やシールの長手方向に一致する。
【００１２】
なお、本装置におけるビデオカメラ３０はその撮影光軸を中心に９０度回転する機構を備えたマウント５０に載置されている。マウント５０は、ステッピングモータ５１、ギア５２、光軸を中心にして回転可能なカメラ固定台５３を含み、ステッピングモータ５１の出力軸の回転をギア５２を介してカメラ固定台５３に伝達することでビデオカメラ３０を回転させるようになっている。もちろん、マウントの機構は本実施例に限らず、ビデオカメラ３０をその光軸を中心に９０度回転させることができればいかなる機構でもよい。
このビデオカメラ回転機構を利用することによって、本装置は通常の横長の構図に加え縦長の構図によって装飾ポートレートを作成することができるようになっている。
【００１３】
＝＝＝コンピュータと周辺要素の構成＝＝＝
図３に本装置のブロック図を示す。コンピュータ１００はＣＰＵ１０１を主制御部として、ＲＡＭ１０２、ＲＯＭ１０３、ハードディスク装置１０４、ＣＤ−ＲＯＭ装置１０５、モータ駆動制御部１０６、表示切替部１０７、および２系統のビデオ信号処理経路を備えている。
一方のビデオ信号処理経路は、ビデオＲＡＭ１１１、ビデオ信号発生回路（ＶＳＧ）１１２、スーパーインポーザ１１３を含んで構成される合成動画像生成経路である。もう一方はビデオデジタイザ１２１、ビデオＲＡＭ１２２、ＶＳＧ１２３を含んで構成される画像回転処理経路である。
【００１４】
また、操作制御装置４０を介して操作ボタンを含むユーザインタフェース用のスイッチパネル４１と硬貨受納器６０、音声処理装置８０を介してスピーカ８１がコンピュータ１００に接続している。
つぎに、これらの構成によって装飾ポートレートを作成するためのプロセス、とくに本発明の大きな特徴である縦長構図による装飾ポートレート作成プロセスについて説明する。
【００１５】
＝＝＝装飾ポートレート作成プロセス＝＝＝
ポートレートに組み合わせるべくデザインされた装飾図案はデジタル画像の形式でコンピュータ１００のデータベースに蓄積している。このデータベースのデータ保存場所はハードディスク装置１０４およびＣＤ−ＲＯＭ装置１０５である。装飾図案は通常の横長構図用に加え、縦長構図用も多数用意されている。なお、装飾図案の画像データは、構図によらず全て横長表示に対応して作成されている。すなわち、縦長構図用の装飾図案は９０度回転した横倒しのイメージとなるように前もって作成されている。
【００１６】
利用者がコイン投入口に指定のコインを投入すると、コンピュータ１００はマンマシンインタフェースによる対話形式で利用者と装飾ポートレートを作成するための一連の処理を開始する。マンマシンインタフェースには、スイッチパネル４１と、スピーカ８１から各種操作案内の音声を出力する手段と、ビデオディスプレイ２０に各種操作案内の画像を表示する手段とが含まれる。
【００１７】
まず、ビデオディスプレイ２０に操作ガイドが表示され、装飾図案を選択するプロセスが実行される。装飾図案のジャンル分類を選ぶ。選択したジャンルの各種装飾図案がビデオディスプレイ２０に表示される。このとき、通常の横長構図用装飾図案に加え縦長構図用装飾図案も混在して表示される。利用者はこの表示している装飾図案の中から任意の一つを選択する。ここでは、縦長構図用の装飾図案が選択されたものとする。
【００１８】
コンピュータ１００は、この縦長構図用の装飾図案の選択入力を受け取ると、縦長構図モードによる装飾ポートレート作成プロセスを実行していく。まず、モータ駆動制御部１０６にビデオカメラ３０を９０度回転させるためのモータ駆動信号を発生させる。さらに、ビデオビデオプリンタ７０のビデオ信号出力が画像回転処理経路を経由してビデオディスプレイ２０に入力されるように表示切替部１０７を切替制御する。そして、ビデオカメラ３０を撮影状態にする。
【００１９】
ＣＰＵ１０１は利用者が選択した装飾図案の画像データをビデオＲＡＭ１１１にビットマップ展開する。ＶＳＧ１１２はこの装飾図案のビットマップをＮＴＳＣのビデオ信号として出力する。スーパーインポーザ１１３は、ビデオカメラ３０が撮影している人物映像のビデオ信号と装飾図案のビデオ信号とを入力し、装飾図案を背景として人物のリアルタイム映像を組み合わせた合成動画像のビデオ信号を生成して出力する。
【００２０】
生成された合成動画ビデオ信号はビデオプリンタ７０の回路内を源信号のまま通過して画像回転処理経路に入力される。この処理経路では、以下のビデオ信号処理プロセスが実行される。
【００２１】
ビデオデジタイザ１２１は、入力した合成動画ビデオ信号を逐次サンプリングしながら水平方向と垂直方向の画素を入れ替えた９０度回転画像データをリアルタイムで生成していく。そして、この９０度回転画像データをリアルタイムで合成動画像に合わせてビデオＲＡＭ１２２に逐次書き換えながらビットマップに展開していく。なお、このビットマップデータをビデオディスプレイ２０の画面で例えると、縦長構図の長手方向が画面の垂直方向にちょうど収まるとともに正しく上下を向くような画像となる。
【００２２】
ＶＳＧ１２３は、ビデオＲＡＭ１２２に順次展開される９０度回転画像を逐次ビデオ信号として出力する。このビデオ信号は表示切替部１０７を介してビデオディスプレイ２０に入力される。したがって、ビデオディスプレイ２０の画面には左右が欠けて中央部に縦長構図となる合成動画像がリアルタイムで出力される。
【００２３】
利用者がビデオディスプレイ２０の合成動画像を見ながら位置やポーズを決め、スイッチパネル４１の所定のボタンを押す。すると、ビデオプリンタ７０はそのタイミングで合成動画ビデオ信号をサンプリングして静止画像データを生成する。また、静止画像データはビデオプリンタ７０内部でビデオ信号に変換される。この静止画のビデオ信号は合成動画像と同じくコンピュータ１００内で処理され、ビデオディスプレイ２０に９０度回転静止画像として出力される。利用者は、その静止画像になった映像が気に入らなければ、スイッチパネル４１を操作することで再びリアルタイムの合成動画像を表示させて、ポーズを取り直すことができる。
【００２４】
利用者は、ビデオディスプレイ２０の画面上において、自分が選択した装飾図案に気に入ったポーズの静止画の自分の映像を組み合わせることができたなら、スイッチパネル４１のプリント用のボタンを押す。すると、ビデオプリンタ７０が静止画像データを処理し、装飾図案に利用者の人物映像を組み合わせた合成画像からなる装飾ポートレートを前述したプリント用紙に印刷する。印刷されたプリント用紙は取出口に排出される。
【００２５】
図４に縦長構図モード時におけるビデオカメラ６０の撮影映像、縦長構図用の装飾図案、ビデオプリンタ７０が処理する合成動画像、ビデオディスプレイ２０に出力される合成動画（静止画）像をそれぞれのビデオ信号に対応させて概略的に示した。
撮影映像のビデオ信号をそのままビデオディスプレイに入力すればビデオカメラは９０度回転しているため横倒しの映像となる（Ａ）。また、用意されている装飾図案の画像データは全て横長構図と向きを揃えているため同じく９０度回転した横倒しの画像となっている（Ｂ）。これらを合成するとＣに示した合成動画像がビデオプリンタ７０に入力されることになる。従って、印刷される装飾ポートレートもプリント用紙に対してこの向きで印刷される。プリンタから出力された合成動画（静止画）ビデオ信号を９０度回転処理してビデオディスプレイ２０に表示すると左右が欠けた縦長構図の合成動画（静止画）像となる（Ｄ）。
【００２６】
プリント用紙を排出すると、コンピュータ１００はモータ駆動制御部１０６を制御してビデオカメラ３０を通常の横長構図での撮影時の回転位置に戻すようにモータ駆動信号を発生させる。ビデオカメラ３０が通常位置に戻ると撮影を中止させる。また、表示切替部１０７をビデオビデオプリンタ７０からのビデオ信号をストレートにビデオディスプレイ２０に入力させるように切替制御する。そして、次の利用者によって硬貨が投入されるまで待機する。
【００２７】
以上が縦長構図モードにおける装飾ポートレート作成プロセスであった。なお、装飾図案の選択プロセスにおいて横長構図用の装飾図案が選ばれると、コンピュータは横長構図モード（通常モード）によって装飾ポートレート作成プロセスを実行する。すなわち、待機状態と同じビデオカメラの位置や表示切替部の信号接続状態のままでビデオ信号を処理していく。図５に各構図モードにおけるプリント状態を示した。どちらの構図モードでも同じプリント用紙が使用できることがわかる。
【００２８】
＝＝＝その他＝＝＝
上記実施例では、選択した装飾図案の構図によって縦長あるいは横長の構図モードによるプロセスが実行されるが、構図モードを選択するプロセスを経てから装飾図案を選択するプロセスに移行してもよい。この場合、構図モードを選択すると、その構図に対応した装飾図案が一覧表示されればよい。
【００２９】
ＣＤ−ＲＯＭやハードディスク装置に格納する装飾図案は横長構図と同じ向きに統一して作成する必要はない。縦長のままで画像データを格納しておき、装飾図案の画像データをビデオＲＡＭに転送するとき９０度回転させる処理を行えばよい。縦長構図の長手方向の画素がビデオディスプレイの水平方向にちょうど収まるように作成しておけば縦長構図の装飾図案を回転させても画質が劣化することはない。
【００３０】
【発明の効果】
ビデオカメラを９０度回転させることで縦長構図の装飾ポートレートを作成することができるようになった。そのため、装飾図案の多様性が増し、利用者を飽きさせることがない。また、従来と同様のビデオ信号処理によってプリントできるため画質の低下を招くことがない。もちろん、構図毎にプリント用紙を用意する必要もない。しかも、プリント処理用のビデオ信号を処理して正しい上下方向で縦長構図の合成画像がディスプレイ表示されるため、撮影時の位置やポーズを決めるときにも従来通りの感覚で確認できる。
【００３１】
装飾図案を選択するプロセスにおいて縦長構図用の装飾図案を選択するだけで縦長構図モードによる装飾ポートレート作成プロセスが実行されれば、利用者は縦長構図を特に意識することなく従来の操作手順で縦長構図の装飾ポートレートを作成することができる。
【００３２】
縦長構図モードで装飾ポートレートを作成した後は、横長構図モードに対応したビデオカメラの回転位置に戻すことで、画像を９０度回転させてディスプレイに表示するための処理回路を普段は停止させておくことができる。そのため、利用開始時に装飾図案の一覧を正常に表示するための制御（表示切替部の信号入出力経路の切替など）が不要となる。また、余分な待機電力を消費することもない。
【図面の簡単な説明】
【図１】本発明の実施例における装飾ポートレート作成装置の全体斜視図である。
【図２】上記装飾ポートレート作成装置の構成図である。
【図３】上記装飾ポートレート作成装置のコンピュータとその周辺要素のブロック図である。
【図４】上記コンピュータと周辺要素で処理されるビデオ信号の概略説明図である。（Ａ）は縦長構図モード時におけるビデオカメラの撮影映像、（Ｂ）は縦長構図用の装飾図案、（Ｃ）はビデオプリンタ７０が処理する合成動画像、（Ｄ）はビディスプレイ２０に出力される合成動画（静止画）像のそれぞれに対応している。
【図５】上記実施例において、構図モードによるプリント状態を示すための概略図である。
【符号の説明】
１１  利用窓口
２０  ビデオディスプレイ
３０  ビデオカメラ
５０  マウント
７０  ビデオプリンタ
１００  コンピュータ
【図１】
0004509233.tif 000002
【図２】
0004509233.tif 000003
【図３】
0004509233.tif 000004
【図４】
0004509233.tif 000005
【図５】
0004509233.tif 000006